(57)【要約】  自セルの干渉を受けない状態の隣接セルの回線品質を精度良く測定すること。本発明の無線通信端末は、中継局と接続され、当該中継局、基地局、並びに前記中継局とは異なる他の中継局の少なくともひとつからデータを受信できる無線通信端末であって、接続先の前記中継局から、接続先でない前記基地局又は前記他の中継局の回線品質を測定するための制御情報を含む信号を受信する受信部と、前記受信部で受信した前記信号から、前記制御情報を抽出する抽出部と、前記制御情報に基づき、接続先の前記中継局が自端末に対して他の信号を送信していない領域において、接続先でない前記基地局又は前記他の中継局の回線品質を測定する測定部と、前記測定部で測定した、接続先でない前記基地局又は前記他の中継局の回線品質の測定結果を、接続先の前記中継局へ送信する送信部と、を備える。
2010131488.tif 000002
【特許請求の範囲】
【請求項１】
中継局と接続され、当該中継局、接続先でない基地局、および前記中継局とは異なる接続先でない他の中継局の少なくともひとつからデータを受信できる無線通信端末であって、
前記中継局から、前記基地局又は前記他の中継局の回線品質を測定するための制御情報を含む信号を受信する受信部と、
前記受信部で受信した前記信号から、前記制御情報を抽出する抽出部と、
前記制御情報に基づき、前記中継局が自端末に対して他の信号を送信していない領域において、前記基地局又は前記他の中継局の回線品質を測定する測定部と、
前記測定部で測定した、前記基地局又は前記他の中継局の回線品質の測定結果を、前記中継局へ送信する送信部と、を備える無線通信端末。
【請求項２】
請求項１に記載の無線通信端末であって、
前記測定部は、前記制御情報に基づき、前記中継局がバックホールとして前記基地局からの信号を受信している領域において、前記基地局又は前記他の中継局の回線品質を測定する無線通信端末。
【請求項３】
請求項２に記載の無線通信端末であって、
前記測定部は、前記制御情報に基づき、前記中継局がバックホールとして用いるＭＢＳＦＮサブフレームにおいて、前記基地局又は前記他の中継局の回線品質を測定する無線通信端末。
【請求項４】
請求項３に記載の無線通信端末であって、
前記測定部は、前記制御情報に基づき、前記中継局がバックホールとして用いるＭＢＳＦＮサブフレームにおいて、先頭２シンボルを除いた３シンボル目以降の領域で、前記基地局又は前記他の中継局の回線品質を測定する無線通信端末。
【請求項５】
請求項１に記載の無線通信端末であって、
前記測定部は、前記制御情報に基づき、前記中継局が自端末に対して他の信号を送信していない領域において、前記基地局又は前記他の中継局の回線品質を複数回測定し、平均化する無線通信端末。
【請求項６】
請求項１に記載の無線通信端末であって、
前記測定部は、前記制御情報に基づき、前記中継局がバックホールとして用いるＭＢＳＦＮサブフレームの先頭２シンボルを除いた３シンボル目以降の領域で、前記他の中継局の回線品質を測定し、
前記測定部は、前記他の中継局がバックホールとして用いるＭＢＳＦＮサブフレームの先頭２シンボルを除いた３シンボル目以降の領域で、前記中継局の回線品質を測定する無線通信端末。
【請求項７】
中継局と接続され、当該中継局、接続先でない基地局、および前記中継局とは異なる接続先でない他の中継局の少なくともひとつからデータを受信できる無線通信端末の無線通信方法であって、
前記中継局から、前記基地局又は前記他の中継局の回線品質を測定するための制御情報を含む信号を受信し、
受信した前記信号から前記制御情報を抽出し、
前記制御情報に基づき、前記中継局が自端末に対して他の信号を送信していない領域において、前記基地局又は前記他の中継局の回線品質を測定し、
前記基地局又は前記他の中継局の回線品質の測定結果を、前記中継局へ送信する、無線通信方法。
【発明の詳細な説明】
【技術分野】
【０００１】
本発明は、基地局と接続され、前記基地局とデータを送受信する無線通信端末及び無線通信方法に関する。
【背景技術】
【０００２】
移動通信の国際的な標準化団体である３ＧＰＰ  （３ｒｄ  Ｇｅｎｅｒａｔｉｏｎ  Ｐａｒｔｎｅｒｓｈｉｐ  Ｐｒｏｊｅｃｔ）において、第４世代の移動通信システムとしてＬＴＥ−Ａｄｖａｎｃｅｄ（Ｌｏｎｇ  Ｔｅｒｍ  Ｅｖｏｌｕｔｉｏｎ−Ａｄｖａｎｃｅｄ、ＬＴＥ−Ａ）の標準化が開始された。ＬＴＥ−Ａでは、非特許文献１のように、カバレッジの拡大やキャパシティの向上を目的として、中継局（Ｒｅｌａｙ  Ｎｏｄｅ）を用いて無線信号を中継するＲｅｌａｙ技術が検討されている。また、セルエッジスループットの向上を目的として、複数のノードが強調してデータを送受信するＣｏＭＰ（Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ）も検討されている。【０００３】
ここで、図１３を参照し、Ｒｅｌａｙ技術について説明する。図１３は、Ｒｅｌａｙ技術を用いて無線信号を中継する無線通信システムを示す図である。図１３において、ｅＮＢは基地局、ＲＮは中継局、ＵＥは無線通信端末をそれぞれ示す。また、ＵＥ１はｅＮＢに接続する無線通信端末、ＵＥ２はＲＮに接続する無線通信端末をそれぞれ示す。【０００４】
ＬＴＥ−Ａでは、ＲＮもｅＮＢと同様に、個別のセルＩＤを持つことが検討されており、これにより、ＵＥからみると、ＲＮもｅＮＢと同様に、１つのセルとみなすことができる。ｅＮＢは有線通信でネットワークに接続し、一方、ＲＮは無線通信でｅＮＢと接続している。ＲＮとｅＮＢとを接続する通信回線は、バックホール（ｂａｃｋｈａｕｌ）回線と呼ばれている。これに対して、ｅＮＢ又はＲＮとＵＥとを接続する通信回線は、アクセス（ａｃｃｅｓｓ）回線と呼ばれている。【０００５】
下り回線では、例えば、図１３に示すように、ＲＮは、バックホール回線においてｅＮＢからの信号を受信（図中、矢印Ａ）して、ＲＮのアクセス回線においてＵＥ２に対して信号を送信（図中、矢印Ｂ）する。バックホール回線とアクセス回線とを同一の周波数帯域の中に収容する場合、ＲＮが送受信を同時に行うと回り込みによる干渉が発生する。そのため、ＲＮは送受信を同時に行うことができない。したがって、ＬＴＥ−Ａでは、バックホール回線とＲＮのアクセス回線とを、時間領域（サブフレーム単位）で分割して割当てるＲｅｌａｙ方式が検討されている。【０００６】
図１４を参照し、上述したＲｅｌａｙ方式について説明する。図１４は、Ｒｅｌａｙ方式における下り回線のサブフレーム構成を示す図である。図中の記号［ｎ、ｎ＋１、・・・］はサブフレーム番号を示し、図中のボックスは下り回線のサブフレームを示している。また、ｅＮＢの送信サブフレーム（図中、網掛け部）、ＵＥ１の受信サブフレーム（図中、空白部）、ＲＮの送信サブフレーム（図中、右斜線部）、ＵＥ２の受信サブレーム（図中、左斜線部）を示している。【０００７】
図１４の矢印（太線）で示すように、ｅＮＢから、全てのサブフレーム［ｎ、ｎ＋１、・・・、ｎ＋６］において信号が送信されている。また、図１４の矢印（太線）又は矢印（破線）で示すように、ＵＥ１では全てのサブフレームにおいて受信することができる。一方で、図１４の矢印（破線）又は矢印（細線）で示すように、ＲＮでは、サブフレーム番号［ｎ＋２、ｎ＋６］を除いたサブフレームにおいて信号が送信されている。また、図１４の矢印（細線）で示すように、ＵＥ２では、サブフレーム番号［ｎ＋２、ｎ＋６］を除いたサブフレームにおいて信号を受信することができる。そして、ＲＮは、サブフレーム番号［ｎ＋２、ｎ＋６］のサブフレームにおいて、ｅＮＢからの信号を受信する。つまり、ＲＮでは、サブフレーム番号［ｎ＋２、ｎ＋６］のサブフレームがバックホール回線となり、それ以外のサブフレームがＲＮのアクセス回線となる。【０００８】
しかしながら、ＲＮがバックホールとなるサブフレーム［ｎ＋２、ｎ＋６］において、ＲＮがｅＮＢから信号を送信しないと、ＲＮの存在をしらないＬＴＥの無線通信端末において、ＲＮの品質を測定するメジャメント動作が機能しなくなるという問題が発生する。上記問題を解決する方法として、ＬＴＥ−Ａでは、ＬＴＥにおいて規定されているＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレームを用いることが検討されている。【０００９】
ＭＢＳＦＮサブフレームは、将来的にＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）サービスを実現するために用意されているサブフレームである。ＭＢＳＦＮサブフレームでは、先頭２シンボルでセル固有の制御情報を送信し、３シンボル目以降の領域でＭＢＭＳ用の信号を送信する仕様になっている。そのため、ＬＴＥの無線通信端末は、ＭＢＳＦＮサブフレームでは、先頭２シンボルを使ってメジャメントを行うことができる。【００１０】
ＭＢＳＦＮサブフレームは、ＲＮセルにおいて擬似的に用いることができる。つまり、ＲＮセルにおいて、ＭＢＳＦＮサブフレームの先頭２シンボルでは、ＲＮセル固有の制御情報を送信し、３シンボル目以降の領域では、ＭＢＭＳ用のデータを送信しないで、ｅＮＢからの信号を受信する。このため、ＲＮセルにおいて、ＭＢＳＦＮサブフレームをバックホール回線の受信サブフレームとして用いることができる。以下、上述したように、ＲＮセルにおいて擬似的に用いたＭＢＳＦＮサブフレームを、「ＲＮがバックホールとして用いるＭＢＳＦＮサブフレーム」と呼ぶ。【００１１】
次に、ＣｏＭＰについて、図１５を用いて説明する。図１５は、下り回線のＣｏＭＰを示しており、基地局（以下、ｅＮＢ）と中継局（以下、ＲＮ）が１つの端末（以下、ＵＥ）に対して、図中矢印Ｃ、Ｄで示すように、協調してデータを送信している。ＬＴＥ−Ａでは、ＣｏＭＰの方式としていくつか検討されており、例えば、Ｄｙｎａｍｉｃ  Ｃｅｌｌ  Ｓｅｌｅｃｔｉｏｎ（ＤＳＣ）やＪｏｉｎｔ  Ｔｒａｎｓｍｉｓｓｉｏｎ（ＪＴ）などがある。【００１２】
ここで、“ＤＳＣ”とは、複数のノードにおいて、データを送信するノードをダイナミック（ｄｙｎａｍｉｃ）に選択して送信する方法である。また、“ＪＴ”は、複数のノードが同時に同じ信号を送信する方法である。【００１３】
ここで、図１５に示す下り回線におけるｅＮＢとＲＮによるＣｏＭＰを考えると、ＣｏＭＰを適用して適応的（ｄｙｎａｍｉｃ）な回線制御を行うためには、ｅＮＢからＵＥへの回線品質とＲＮからＵＥへの回線品質が必要となる。ＲＮに接続しているＵＥでは、ＲＮは自セルとなるので、ＲＮからＵＥへの回線品質は、非特許文献２に記載されているＣＱＩ（Ｃｈａｎｎｅｌ  Ｑｕａｌｉｔｙ  Ｉｎｄｉｃａｔｏｒ）を用いることができる。一方で、ｅＮＢは隣接セルとなるので、ｅＮＢからＵＥへの回線品質は、このＣＱＩを用いることができない。【００１４】
ここで、“ＣＱＩ“（Ｃｈａｎｎｅｌ  Ｑｕａｌｉｔｙ  Ｉｎｄｉｃａｔｏｒ）とは、受信側から見た受信回線の品質のことである。受信側から送信側にＣＱＩをフィードバックして、送信側がフィードバックされたＣＱＩに応じて、受信側に送信する信号の変調方式と符号化率を選択する。【００１５】
隣接セルの回線品質を測定する方法として、例えば、非特許文献３に記載されているハンドオーバー時に用いるメジャメント（ｍｅａｓｕｒｅｍｅｎｔ）がある。ＬＴＥにおける周波数内メジャメント（ｉｎｔｒａ−ｆｒｅｑｕｅｎｃｙ  ｍｅａｓｕｒｅｍｅｎｔ）では、ＵＥは、接続しているセルの周波数と、同じ周波数の隣接セルの回線品質を測定する。このため、ＵＥは、受信帯域の中心周波数を変更せずに隣接セルの回線品質を測定することができる。また、ＵＥが受信周波数を変更しないので、セルは、ＵＥの測定のために下り回線で送信しない時間（ｍｅａｓｕｒｅｍｅｎｔ  ｇａｐ）を設ける必要がない。このため、ＵＥは、そのＵＥに対して割当がなく、そのＵＥに対して自セルから信号が送信されない時間などを使って、ＵＥ自身の判断で隣接セルの回線品質測定を行う。
【先行技術文献】
【非特許文献】
【００１６】
【非特許文献１】３ＧＰＰ  ＴＲ３６．８１４  ｖ０．４．１  （２００９−０２）,  “Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）”
【非特許文献２】３ＧＰＰ  ＴＳ３６．２１３  ｖ８．５．０  （２００８−１２）,  “Ｐｈｙｓｉｃａｌ  Ｌａｙｅｒ  Ｐｒｏｃｅｄｕｒｅｓ  （Ｒｅｌｅａｓｅ  ８）”
【非特許文献３】３ＧＰＰ  ＴＳ３６．３００  ｖ８．７．０  （２００８−１２）,  “Ｏｖｅｒａｌｌ  Ｄｅｓｃｒｉｐｔｉｏｎ；  Ｓｔａｇｅ２  （Ｒｅｌｅａｓｅ  ８）”
【発明の概要】
【発明が解決しようとする課題】
【００１７】
しかし、ＲＮに接続しているＵＥでは、ＲＮからの信号の有無により、隣接セルの回線品質が変動してしまう。このため、ＲＮに接続しているＵＥは、ＲＮからの干渉を受けない状態の隣接セルの回線品質を精度良く測定できず、回線制御が機能しないといった課題がある。【００１８】
本発明の目的は、自セルの干渉を受けない状態の隣接セルの回線品質を精度良く測定できる無線通信端末及び無線通信方法を提供することである。
【課題を解決するための手段】
【００１９】
本発明は、中継局と接続され、当該中継局、基地局、並びに前記中継局とは異なる他の中継局の少なくともひとつからデータを受信できる無線通信端末であって、接続先の前記中継局から、接続先でない前記基地局又は前記他の中継局の回線品質を測定するための制御情報を含む信号を受信する受信部と、前記受信部で受信した前記信号から、前記制御情報を抽出する抽出部と、前記制御情報に基づき、接続先の前記中継局が自端末に対して他の信号を送信していない領域において、接続先でない前記基地局又は前記他の中継局の回線品質を測定する測定部と、前記測定部で測定した、接続先でない前記基地局又は前記他の中継局の回線品質の測定結果を、接続先の前記中継局へ送信する送信部と、を備える無線通信端末を提供する。【００２０】
上記無線通信端末では、前記測定部は、前記制御情報に基づき、接続先の前記中継局がバックホールとして前記基地局からの信号を受信している領域において、接続先でない前記基地局又は前記他の中継局の回線品質を測定する。【００２１】
上記無線通信端末では、前記測定部は、前記制御情報に基づき、接続先の前記中継局がバックホールとして用いるＭＢＳＦＮサブフレームにおいて、接続先でない前記基地局又は前記他の中継局の回線品質を測定する。【００２２】
上記無線通信端末では、前記測定部は、前記制御情報に基づき、接続先の前記中継局がバックホールとして用いるＭＢＳＦＮサブフレームにおいて、先頭２シンボルを除いた３シンボル目以降の領域で、接続先でない前記基地局又は前記他の中継局の回線品質を測定する。【００２３】
上記無線通信端末では、前記測定部は、前記制御情報に基づき、接続先の前記中継局が自端末に対して他の信号を送信していない領域において、接続先でない前記基地局又は前記他の中継局の回線品質を複数回測定し、平均化する。【００２４】
上記無線通信端末では、前記測定部は、前記制御情報に基づき、接続先の前記中継局がバックホールとして用いるＭＢＳＦＮサブフレームの先頭２シンボルを除いた３シンボル目以降の領域で、接続先でない前記他の中継局の回線品質を測定し、前記測定部は、接続先でない前記他の中継局がバックホールとして用いるＭＢＳＦＮサブフレームの先頭２シンボルを除いた３シンボル目以降の領域で、接続先の前記中継局の回線品質を測定する。【００２５】
また、本発明は、中継局と接続され、当該中継局、基地局、並びに前記中継局とは異なる他の中継局の少なくともひとつからデータを受信できる無線通信端末の無線通信方法であって、接続先の前記中継局から、接続先でない前記基地局又は前記他の中継局の回線品質を測定するための制御情報を含む信号を受信し、受信した前記信号から前記制御情報を抽出し、前記制御情報に基づき、接続先の前記中継局が自端末に対して他の信号を送信していない領域において、接続先でない前記基地局又は前記他の中継局の回線品質を測定し、接続先でない前記基地局又は前記他の中継局の回線品質の測定結果を、接続先の前記中継局へ送信するする、無線通信方法を提供する。
【発明の効果】
【００２６】
本発明に係る無線通信端末及び無線通信方法によれば、自セルの干渉を受けない状態の隣接セルの回線品質を精度良く測定することができる。
【図面の簡単な説明】
【００２７】
【図１】本発明の実施の形態における、Ｒｅｌａｙ技術を用いて無線信号を中継する無線通信システムを示す図
【図２】本実施の形態において、「ＲＮがバックホールとして用いるＭＢＳＦＮサブフレーム」を示す図
【図３】ＲＮ配下のＵＥがＣＱＩ測定するサブフレームを示す図
【図４】本実施の形態における、下り回線サブフレームを示す図
【図５】本実施の形態における、無線通信端末３００の構成を示すブロック図
【図６】本実施の形態における、無線中継局装置２００の構成を示すブロック図
【図７】本実施の形態における、ＵＥのＣｏＭＰ用の回線品質測定の処理フローを示す図
【図８】本実施の形態の変形例における、Ｒｅｌａｙ技術を用いて無線信号を中継する無線通信システムを示す図
【図９】本実施の形態の変形例における、下り回線のサブフレームを示す図
【図１０】本実施の形態の変形例における、無線通信端末６００の構成を示すブロック図
【図１１】本実施の形態の変形例における、無線中継局装置５００の構成を示すブロック図
【図１２】本実施の形態の変形例における、ＵＥにおけるＣｏＭＰ用の回線品質測定の処理フローを示す図
【図１３】図１３は、Ｒｅｌａｙ技術を用いて無線信号を中継する無線通信システムを示す図
【図１４】Ｒｅｌａｙ方式における下り回線のサブフレーム構成を示す図
【図１５】下り回線のＣｏＭＰを示す図
【発明を実施するための形態】
【００２８】
以下、本発明の実施の形態について、図面を参照して説明する。
【００２９】
図１は、本発明の実施の形態における、Ｒｅｌａｙ技術を用いて無線信号を中継する無線通信システムを示す図である。本実施の形態では、図１において、ｅＮＢは基地局１００、ＲＮは無線中継局装置２００、ＵＥは無線通信端末３００をそれぞれ示す。無線通信端末３００は、無線中継局装置２００（ＲＮ）に接続する無線通信端末とする。
【００３０】
また、以下、本実施の形態では、図１に示すように無線信号を中継する場合について説明する。つまり、基地局１００（以下、ｅＮＢ）と中継局２００（以下、ＲＮ）が１つの端末３００（以下、ＵＥ）に対して、図中矢印Ｆ、Ｇで示すように、協調してデータを送信している。ＲＮは、バックホール回線においてｅＮＢからの信号を受信（図中、矢印Ｅ）している。
【００３１】
ここで、中継局２００（ＲＮ）は、ＬＴＥ−Ａで検討されている個別のセルＩＤを持つものとする。そのため、無線通信端末３００に隣接する中継局２００（ＲＮ）は、無線通信端末３００から見ると、隣接セルとみなすことができる。
【００３２】
ここで、本実施の形態において、「ＲＮがバックホールとして用いるＭＢＳＦＮサブフレーム」とは、ＲＮセルにおいて、ＭＢＳＦＮサブフレームの先頭２シンボルではＲＮセル固有の制御情報を送信し、３シンボル目以降の領域では、ＭＢＭＳ用のデータを送信しないで、ｅＮＢからの信号を受信する、ＭＢＳＦＮサブフレームの事をいう。
【００３３】
また、本実施の形態では、バックホール回線とアクセス回線とを同一の周波数帯域の中に収容し、バックホール回線とＲＮのアクセス回線を時間領域（サブフレーム単位）で分割して割当てるＲｅｌａｙ方式とする。
【００３４】
ＲＮに接続しているＵＥにとって、隣接セルの回線品質を測定する場合には、自セルであるＲＮからの信号が干渉となる。また、ＲＮにおいて、「ＲＮがバックホールとして用いるＭＢＳＦＮサブフレーム」を用いる場合には、「ＲＮがバックホールとして用いるＭＢＳＦＮサブフレーム」では、ＲＮからの送信信号がなくなる。そのため、ＲＮに接続しているＵＥは、「ＲＮがバックホールに用いるＭＢＳＦＮサブフレーム」において、ＲＮからの干渉を受けないので、隣接セルの回線品質を精度良く測定することができる。「ＲＮがバックホールとしてＭＢＳＦＮサブフレーム」に用いる場合を考えると、サブフレームの観点と、シンボルの観点とから、ＲＮからＵＥへ信号が送信されない領域を特定することができる。
【００３５】
まず、サブフレームの観点から、「ＲＮがバックホールとしてＭＢＳＦＮサブフレーム」で、ＲＮからＵＥへ信号が送信されない領域を特定できる理由を説明する。
【００３６】
「ＲＮがバックホールとして用いるＭＢＳＦＮサブフレーム」を用いると、干渉量はサブフレーム単位で変化する。ＬＴＥでは、ＭＢＳＦＮサブフレームは、決められた位置に割当てられており、セルごとに個別に設定することができる。ＭＢＳＦＮサブフレームの割当位置は、システム情報としてＳＩＢ２（Ｓｙｓｔｅｍ  Ｉｎｆｏｒｍａｔｉｏｎ  Ｂｌｏｃｋ２）において、ｅＮＢもしくはＲＮからＵＥに対して通知されており、ユーザ割当のように瞬時的に変更されるものではなく、比較的長い周期で変更されるものである。そのため、「ＲＮがバックホールとしてＭＢＳＦＮサブフレーム」を用いる場合であっても、ＭＢＳＦＮサブフレームの位置はセル（ＲＮ）ごとに個別に設定される。
【００３７】
つまり、ｅＮＢ配下のＵＥであっても、隣接するＲＮのバックホールとして用いられるＭＢＳＦＮサブフレームが分かれば、そのサブフレームがＲＮからの干渉が少ないサブフレームであることを特定できる。
【００３８】
次に、図２を参照して、シンボルの観点から、「ＲＮがバックホールとして用いるＭＢＳＦＮサブフレーム」で、ＲＮから信号が送信されない領域を特定できる理由を説明する。図２は、本実施の形態において、「ＲＮがバックホールとして用いるＭＢＳＦＮサブフレーム」を示す図である。
【００３９】
図２に示すように、「ＲＮがバックホールとして用いるＭＢＳＦＮサブフレーム」では、ＲＮは、先頭２シンボルにおいてセル固有の制御情報などの信号を送信し、３シンボル目以降において、送信から受信に切り替えて、ｅＮＢからの信号を受信する。
【００４０】
ｅＮＢ配下のＵＥからみると、図２に示すＭＢＳＦＮサブフレームでは、先頭２シンボルは干渉としてみえるが、３シンボル目以降の領域では干渉がなくなる。つまり、先頭２シンボルの領域と３シンボル目以降の領域との間で、干渉量が変化している。そこで、ｅＮＢ配下のＵＥであっても、隣接するＲＮについて、「ＲＮがバックホールとして用いるＭＢＳＦＮサブフレーム」が分かれば、そのＭＢＳＦＮサブフレームにおいて、ＲＮからの干渉が少ないシンボルを特定することができる。
【００４１】
また、ＬＴＥでは、隣接するセル間は同期していないことを前提としていたため、隣接セルの回線品質を測定する場合には、ＵＥは隣接セルに同期するために、比較的長い時間受信する必要があった。例えば、フレーム同期、サブフレーム同期を取るためには、サブフレーム＃０と＃５において送信されている同期信号（ｓｙｎｃｈｒｏｎｉｚａｔｉｏｎ  ｓｉｇｎａｌ）を受信しなければならないので、少なくても６サブフレームの間受信しなければならない。しかしながら、ｅＮＢとそのｅＮＢに接続するＲＮの間では、ｅＮＢから送信されるバックホールのサブフレームと、ＲＮにおいてバックホールの受信として用いるＭＢＳＦＮサブフレームは同期している必要があるので、少なくてもサブフレーム同期が必要である。
【００４２】
そのため、ＲＮに接続しているＵＥは、ＲＮが接続するｅＮＢが隣接セルであっても、伝搬遅延時間の違いによるシンボル同期を取るだけでよく、複数サブフレームを必要とせずにサブフレーム内で同期することができる。
【００４３】
ＲＮが配下のＵＥに対して、ＲＮのバックホールとして用いるＭＢＳＦＮサブフレームの位置を通知して、ＲＮとそのＲＮが接続するｅＮＢの間でＣｏＭＰを行う場合に、ＲＮ配下のＵＥは、ＲＮのバックホールとして用いるＭＢＳＦＮサブフレームにおいて、３シンボル目以降の領域の信号を使って、ｅＮＢの回線品質、つまりＣｏＭＰ用のＣＱＩを測定することである。
【００４４】
以下、図３及び図４を参照して、本実施の形態における、ＣｏＭＰ用のＣＱＩを測定方法の一例について説明する。
【００４５】
まず、ＲＮは、自配下のＵＥに、「ＲＮがバックホールとして用いるＭＢＳＦＮサブフレーム」の位置を通知する。通知する方法としては、例えば、ＬＴＥにおけるシステム情報（Ｓｙｓｔｅｍ  Ｉｎｆｏｒｍａｔｉｏｎ  Ｂｌｏｃｋ、ＳＩＢ）や上位レイヤーの制御情報などを用いて通知する方法がある。ＬＴＥでは、システム情報の１つであるＳＩＢ２（Ｓｙｓｔｅｍ  Ｉｎｆｏｒｍａｔｉｏｎ  Ｂｌｏｃｋ  Ｔｙｐｅ２）において、ＭＢＳＦＮサブフレームの構成が通知される。しかしながら、この通知方法では、ＭＢＳＦＮサブフレームが、ＲＮのバックホールとして用いられるかどうかは、ＵＥにとって分からない。そこで、このＭＢＳＦＮサブフレームの構成に加えて、「ＲＮがバックホールとして用いるＭＢＳＦＮサブフレーム」の構成を通知する。
【００４６】
次に、図３を参照して、ＲＮ配下のＵＥがＣＱＩ測定するサブフレームについて、説明する。図３は、ＲＮ配下のＵＥがＣＱＩ測定するサブフレームを示す図である。
【００４７】
ＲＮ配下のＵＥでは、図３で示すサブフレーム内の先頭２シンボルを除いた３シンボル目以降の領域を用いて、隣接セルであるｅＮＢからＵＥへの回線品質を測定する回線品質測定モードを設ける。回線品質測定としては、回線制御に用いる回線品質測定（ＣＱＩ測定）、ハンドオーバーに用いる回線品質測定（メジャメント）などがある。本実施の形態では、ｅＮＢからＵＥへの回線品質測定として、ＣＱＩを測定する場合について説明する。
【００４８】
そして、「ＲＮがバックホールとして用いるＭＢＳＦＮサブフレーム」において、ＲＮ配下のＵＥは、図３を参照して説明した回線品質測定モードで、隣接セルであるｅＮＢからＵＥへの回線品質（ｅＮＢのＣＱＩ）を測定する。
【００４９】
図４に、本実施の形態における、下り回線サブフレームを示す。図中の記号［ｎ、ｎ＋１、・・・］はサブフレーム番号を示し、図中のボックスは下り回線のサブフレームを示している。「ＲＮがバックホールとして用いるＭＢＳＦＮサブフレーム」であるサブフレーム［ｎ＋２、ｎ＋６］において、ＲＮ配下のＵＥは、図３を参照して説明した回線品質測定モードで、ｅＮＢのＣＱＩを測定する。
【００５０】
本実施の形態において、上述したＣｏＭＰ用のＣＱＩ測定方法を用いると、ＲＮ配下のＵＥにおいて、ＲＮからの干渉を受けない場合のｅＮＢの回線品質を精度良く測定できる。そのため、ｅＮＢとそれに接続するＲＮの間で、ＣｏＭＰを行う場合に、回線品質に応じた回線制御が機能する。
【００５１】
ここで、ＣｏＭＰの具体的な例として、ＤＣＳ（Ｄｙｎａｍｉｃ  Ｃｅｌｌ  Ｓｅｌｅｃｔｉｏｎ）の場合とＪＴ（Ｊｏｉｎｔ  Ｔｒａｎｓｍｉｓｓｉｏｎ）の場合とについて説明する。
【００５２】
（ＣｏＭＰの具体例１：ＤＳＣ）
ＤＳＣの場合について説明する。ＲＮが存在し、ＲＮ配下のＵＥに対して行うＤＣＳとしては、「ＲＮがバックホールとして用いるＭＢＳＦＮサブフレーム」において、ＲＮ配下のＵＥに対して、ＲＮが接続するｅＮＢからＤＬ信号を送信することで、以下のように、ＤＣＳを実現できる。
【００５３】
まず、図３、４を参照して説明したＣｏＭＰ用のＣＱＩ測定方法を用いて、ＲＮ配下のＵＥは、「ＲＮがバックホールとして用いるＭＢＳＦＮサブフレーム」において、ＲＮが接続するｅＮＢからＵＥへの回線品質（ｅＮＢのＣＱＩ）を測定する。そして、ＲＮ配下のＵＥは、ＵＥが接続しているＲＮに、測定したＲＮが接続するｅＮＢからＵＥへの回線品質をフィードバックする。
【００５４】
ＵＥが接続しているＲＮは、フィードバックされた回線品質情報を使って、「ＲＮがバックホールとして用いるＭＢＳＦＮサブフレーム」において、ｅＮＢから自配下のＵＥに対してデータを送信するように制御する。また、ＵＥが接続しているＲＮは、他のサブフレームにおいて、ＲＮから自配下のＵＥに対してデータを送信する。そのため、ＵＥが接続しているＲＮが「ＲＮがバックホールとして用いるＭＢＳＦＮサブフレーム」となるサブフレームにおいても、ｅＮＢから自配下のＵＥにデータを送信することができるので、自配下のＵＥのユーザスループットを向上できる。
【００５５】
（ＣｏＭＰの具体例２：ＪＴ）
次に、ＪＴの場合について説明する。ＪＴは、ＲＮと、そのＲＮが接続するｅＮＢから同時に同じ信号を送信し、ＵＥにおいて信号を合成することで実現できる。
【００５６】
ここで、ＬＴＥ−Ａでは、「ＲＮがバックホールとして用いるＭＢＳＦＮサブフレーム」を用いる場合と同様に、上述したＪＴをＭＢＳＦＮサブフレームで実現する方法が検討されている。なぜなら、ＪＴを行う場合、同時に送信する複数のセルの参照信号を同じにする必要があり、通常のサブフレームで行うと、セル固有の参照信号に影響があるためである。以下、ＪＴを実現するＭＢＳＦＮサブフレームを、「ＣｏＭＰに用いるＭＢＳＦＮサブフレーム」として記載し、「ＲＮがバックホールとして用いるＭＢＳＦＮサブフレーム」と区別する。
【００５７】
また、ＬＴＥ−Ａでは、「ＲＮがバックホールとして用いるＭＢＳＦＮサブフレーム」と「ＣｏＭＰに用いるＭＢＳＦＮサブフレーム」とを区別する情報を、ＲＮからＵＥへ通知することで、ＬＴＥ−ＡのＵＥは、「ＲＮがバックホールとして用いるＭＢＳＦＮサブフレーム」と「ＣｏＭＰに用いるＭＢＳＦＮサブフレーム」とを区別することができる。
【００５８】
まず、ＲＮ配下のＵＥは、「ＲＮがバックホールとして用いるＭＢＳＦＮサブフレーム」で、図３、４を参照して説明したＣｏＭＰ用のＣＱＩ測定方法を用いて、ＲＮが接続するｅＮＢからＵＥへの回線品質（ｅＮＢのＣＱＩ）を測定する。なぜなら、ＪＴでは、ＲＮ配下のＵＥの受信電力が、「ＲＮからの電力＋ｅＮＢからの電力」となるので、ＲＮ配下のＵＥにおける合成の回線品質に応じた回線制御を行うためには、隣接セルであるｅＮＢからＵＥへの回線品質を精度良く知る必要があるからである。
【００５９】
そして、ＲＮ配下のＵＥは、ＲＮに、図３、４を参照して説明したＣｏＭＰ用のＣＱＩ測定方法で測定した回線品質（ｅＮＢのＣＱＩ）をフィードバックする。ＲＮは、フィードバックされた回線品質（ｅＮＢのＣＱＩ）を使って、「ＣｏＭＰに用いるＭＢＳＦＮサブフレーム」で、ＲＮとそのＲＮが接続するｅＮＢから同じデータを同時に送信するように制御する。そのため、ＪＴにより送信されたＵＥの受信ＳＩＮＲが改善するので、ＲＮ配下のＵＥのユーザスループットを向上できる。
【００６０】
次に、図５を参照して、本実施の形態における、無線通信端末３００の構成を説明する。図５は、本実施の形態における、無線通信端末３００の構成を示すブロック図である。図５に示す無線通信端末３００は、アンテナ３０１と、スイッチ（ＳＷ）３０３と、受信ＲＦ部３０５と、受信処理部３０７と、隣接セル信号受信処理部３０９と、ＲＮ情報取得部３１１と、信号抽出制御部３１３と、サブフレーム抽出部３１５と、制御情報取得部３１７と、ＣｏＭＰ用回線品質測定制御部３１９と、シンボル抽出部３２１と、回線品質測定部３２３と、回線品質メモリ部３２５と、フィードバック情報生成部３２７と、送信処理部３２９と、送信ＲＦ部３３１と、を備える。
【００６１】
受信ＲＦ部３０５は、アンテナ３０１で受信した信号に対して、通信帯域以外の信号を除去するためにフィルタ処理を行い、ＩＦ周波数帯もしくはベースバンド帯に周波数変換を行い、受信処理部３０７および隣接セル信号受信処理部３０９に出力する。
【００６２】
受信処理部３０７は、受信ＲＦ部から出力された信号に対して受信処理を行い、受信信号に多重されているデータと、制御情報と、ＲＮに関する情報との分離を行い、それぞれを出力する。具体的には、受信処理部３０７は、ＡＤコンバータ等でアナログ信号をデジタル信号に変換し、復調処理、復号処理などを行う。
【００６３】
隣接セル信号受信処理部３０９は、受信ＲＦ部３０５から出力された信号のうち、隣接セルからの信号に対して受信処理を行い、サブフレーム抽出部３１５に出力する。受信処理部３０７と同様の処理を行うが、隣接セル信号受信処理部３０９の処理が受信処理部３０７の処理と異なる点は、隣接セルで固有の処理を行う点である。具体的には、参照信号に対する受信処理などがある。ＬＴＥでは、セル固有の系列で参照信号が送信されているので、隣接セル信号受信処理部３０９は、隣接セルの系列に応じた参照信号の受信処理を行う。また、隣接セル信号受信処理部３０９の出力信号を使って、後段の回線品質測定部３２３が隣接セルの回線品質を測定する。隣接セル信号受信処理部３０９は、例えば、所望信号成分を測定する場合には参照信号を出力し、干渉成分を測定する場合にはデータ信号を出力する。
【００６４】
制御情報取得部３１７は、受信処理部３０７において分離された制御情報の中から、無線通信端末３００自体の制御情報を取得して、その制御情報の中からＣｏＭＰ用の隣接セルの品質測定に関する制御情報を、ＣｏＭＰ用回線品質測定制御部３１９に出力する。
【００６５】
ＣｏＭＰ用回線品質測定制御部３１９は、制御情報取得部３１７から出力される、ＣｏＭＰ用の隣接セルの品質測定に関する制御情報により、ＣｏＭＰ用に隣接セルの品質測定を行う指示を受けた場合、隣接セルの品質測定を行う指示を、信号抽出制御部３１３に出力する。
【００６６】
ＲＮ情報取得部３１１は、受信処理部３０７において分離されたＲＮに関する情報を取得して、信号抽出制御部３１３に出力する。ＲＮに関する情報としては、「ＲＮがバックホールとして用いるＭＢＳＦＮサブフレーム」の位置がある。
【００６７】
信号抽出制御部３１３は、ＣｏＭＰ用回線品質測定制御部３１９の指示に基づいて、ＲＮ情報取得部３１１から出力されるＲＮに関する情報を使って、サブフレーム抽出部３１５とシンボル抽出部３２１とに指示を出力する。ＣｏＭＰ用回線品質測定制御部３１９から、ＣｏＭＰ用に隣接セルの品質測定を行うように指示された場合、信号抽出制御部３１３は、隣接セル信号受信処理部３０９から出力された隣接セル信号から、ＲＮ情報取得部３１１から出力される「ＲＮがバックホールとして用いるＭＢＳＦＮサブフレーム」を抽出するように、サブフレーム抽出部３１５に指示する。また、ＣｏＭＰ用回線品質測定制御部３１９から、ＣｏＭＰ用に隣接セルの品質測定を行うように指示された場合、信号抽出制御部３１３は、「ＲＮがバックホールとして用いるＭＢＳＦＮサブフレーム」において、先頭２シンボルを除いた３シンボル目以降の領域を抽出するようにシンボル抽出部３２１に指示する。
【００６８】
サブフレーム抽出部３１５は、信号抽出制御部３１３の指示に基づいて、隣接セル信号受信処理部３０９から出力される隣接セル信号を、サブフレーム単位で抽出して、シンボル抽出部３２１に出力する。
【００６９】
シンボル抽出部３２１は、信号抽出制御部３１３の指示に基づいて、サブフレーム抽出部３１５で抽出したサブフレーム単位の隣接セル信号を、シンボル領域で抽出して、回線品質測定部３２３に出力する。
【００７０】
回線品質測定部３２３は、シンボル抽出部３２１で抽出された隣接セル信号を用いて、ＣｏＭＰ用の隣接セルの回線品質測定を行い、回線品質メモリ部３２５に出力する。例えば、隣接セルの所望信号成分を測定する場合、ＣｏＭＰ用の隣接セルの回線品質測定方法として、回線品質測定部３２３は、隣接セルの参照信号を使ってチャネル推定を行い、そのチャネル推定結果から隣接セルの所望信号成分の受信電力を測定する。また、干渉成分を測定する場合は、ＣｏＭＰ用の隣接セルの回線品質測定方法として、回線品質測定部３２３は、データ領域を用いて、受信電力を測定して、隣接セルのデータの受信電力を引くことで、干渉成分の受信電力を測定する。干渉成分を測定する場合、隣接セルのデータの受信電力は、前述した隣接セルの所望信号成分の受信電力から求めることができる。
【００７１】
回線品質メモリ部３２５は、回線品質測定部３２３で測定した、ＣｏＭＰ用の隣接セルの回線品質を記憶し、フィードバック情報生成部３２７に出力する。
【００７２】
フィードバック情報生成部３２７は、フィードバック情報を送信するタイミングにおいて、回線品質メモリ部３２５で記憶したＣｏＭＰ用の隣接セルの回線品質を用いて、無線中継局装置２００にフィードバックするためのフィードバック情報を生成して、送信処理部３２９に出力する。無線通信端末３００が無線中継局装置２００にフィードバックする情報を送信するタイミングは、あらかじめ決められた周期的なタイミングであっても良いし、特定のタイミングであっても良い。なお、特定のタイミングの場合、制御情報で通知され、ＣｏＭＰ用回線品質測定制御部３１９からフィードバック情報生成部３２７に指示することもできる。
【００７３】
送信処理部３２９は、フィードバック情報生成部３２７で生成したフィードバック情報を無線中継局装置２００にフィードバックできるように送信処理を行い、送信ＲＦ部３３１に出力する。送信処理部３２９が行う送信処理には、例えば、送信データやフィードバック情報などの信号の多重や、符号化処理、変調処理がある。
【００７４】
送信ＲＦ部３３１は、送信処理部３２９で送信処理された送信信号に対して、ＲＦ周波数への周波数変換、電力増幅、送信フィルタ処理を行い、アンテナ３０１に出力する。
【００７５】
次に、図６を参照して、本実施の形態のおける、無線中継局装置２００の構成を説明する。図６は、本実施の形態における、無線中継局装置２００の構成を示すブロック図である。図６に示す無線中継局装置２００は、ＣｏＭＰ用回線品質測定指示部２０１、制御情報生成部２０３、信号多重部２０５、送信処理部２０７、送信ＲＦ部２０９、受信ＲＦ部２１１、受信処理部２１３、回線品質情報抽出部２１５、回線品質メモリ部２１７、スケジューリング部２１９と、スイッチ２２１と、アンテナ２２３と、を備える
【００７６】
なお、図６に示す、送信データは、各端末装置に対する送信データであり、信号多重部２０５に入力される。また、ＲＮ情報は、基本的にはこの中継局装置２００に関する情報であり、信号多重部２０５に入力される。
【００７７】
ＣｏＭＰ用回線品質測定指示部２０１は、ＣｏＭＰを適用する無線通信端末３００に対して、ＣｏＭＰに用いるための隣接セルの回線品質を測定する指示を、制御情報生成部２０３に出力する。
【００７８】
制御情報生成部２０３は、ＣｏＭＰ用回線品質測定指示部２０１から出力される隣接セルの回線品質を測定する指示を含んだ、各無線通信端末に関する制御情報を生成して、信号多重部２０５に出力する。
【００７９】
信号多重部２０５は、入力された各無線通信端末に対する送信データ、ＲＮ情報、制御情報を多重して、送信処理部２０７に出力する。信号多重部２０５は、後述するスケジューリング部２１９から出力されるスケジューリング情報に基づいて、各無線通信端末に対する送信データを配置して、ユーザ多重を行い、他の信号と多重する。
【００８０】
送信処理部２０７は、信号多重部２０５で多重された信号に対して送信処理を行い、送信ＲＦ部２０９に出力する。送信処理部２０７の送信処理には、例えば、符号化処理、変調処理がある。
【００８１】
送信ＲＦ部２０９は、送信処理部２０７で送信処理された送信信号に対
して、ＲＦ周波数への周波数変換、電力増幅、送信フィルタ処理を行い、アンテナ２２３に出力する。
【００８２】
受信ＲＦ部２１１は、アンテナ２２３で受信した信号に対して、通信帯域以外の信号を除去するためにフィルタ処理を行い、ＩＦ周波数帯もしくはベースバンド帯に周波数変換を行い、受信処理部２１３に出力する。
【００８３】
受信処理部２１３は、受信ＲＦ部２１１から出力された信号に対して受信処理を行い、受信データ、制御情報などの分離を行う。具体的には、受信処理部２１３は、ＡＤコンバータ等でアナログ信号をデジタル信号に変換し、復調処理、復号処理などを行う。
【００８４】
回線品質情報抽出部２１５は、受信処理部２１３で分離した制御情報の中から、ＣｏＭＰ用の隣接セルの回線品質情報を抽出し、回線品質メモリ部２１７に出力する。
【００８５】
回線品質メモリ部２１７は、回線品質情報抽出部２１５で抽出したＣｏＭＰ用の隣接セルの回線品質情報を記憶し、スケジューリング部２１９に出力する。
【００８６】
スケジューリング部２１９は、回線品質メモリ部２１７で記憶したＣｏＭＰ用の隣接セルの回線品質情報と、図示しない中継局装置自体（自セル）に関する回線品質情報を使って、隣接セルと中継装置自体（自セル）によるＣｏＭＰ送信を行うスケジューリングを行い、スケジューリング情報を信号多重部２０５に出力する。スケジューリングでは、回線品質メモリ部２１７で記憶したＣｏＭＰ用の隣接セルの回線品質情報と、図示しない中継局装置自体（自セル）に関する回線品質情報を使って、送信サブフレーム、送信周波数（リソースブロック）を決定する。
【００８７】
次に、図７を参照して、本実施の形態において、無線通信端末３００におけるＣｏＭＰ用の回線品質測定の処理フローを説明する。図７は、ＵＥのＣｏＭＰ用の回線品質測定の処理フローを示す図である。
【００８８】
ステップ（ＳＴ００１）では、受信ＲＦ部３０５は、信号を受信して、受信ＲＦ処理を行う。  ステップ（ＳＴ００２）では、受信処理部３０７は、ステップ（ＳＴ００１）において受信ＲＦ処理した信号から、自セルからの信号に対する受信処理を行う。
【００８９】
ステップ（ＳＴ００３）では、隣接セル信号受信処理部３０９は、ステップ（ＳＴ００１）において受信ＲＦ処理した信号から、隣接セルからの信号に対する受信処理を行う。  ステップ（ＳＴ００４）では、制御情報取得部３１７は、ステップ（ＳＴ００２）において受信処理した信号から、ＵＥに対する制御情報を取得する。
【００９０】
ステップ（ＳＴ００５）では、ＲＮ情報取得部３１１は、ステップ（ＳＴ００２）において受信処理した信号から、ＲＮに関する情報を取得する。
【００９１】
ステップ（ＳＴ００６）では、ＣｏＭＰ用回線品質測定制御部３１９は、ステップ（ＳＴ００４）において取得した制御情報により、ＣｏＭＰ用に隣接セルの回線品質を測定する指示に基づいて、ＣｏＭＰ用に隣接セルの回線品質を測定するかどうかを判断する。ＣｏＭＰ用に隣接セルの回線品質を測定する場合には、ステップ（ＳＴ００７）に進み、隣接セルの回線品質を測定しない場合には処理は終了する。
【００９２】
ステップ（ＳＴ００７）では、信号抽出制御部３１３は、ステップ（ＳＴ００５）において取得したＲＮに関する情報から、「ＲＮがバックホールとして用いるＭＢＳＦＮサブフレーム」となるサブフレームを、サブフレーム抽出部３１５とシンボル抽出部３２１とに指示する。
【００９３】
ステップ（ＳＴ００８）では、サブフレーム抽出部３１５は、ステップ（ＳＴ００７）において信号抽出制御部３１３から指示された、「ＲＮがバックホールとして用いるＭＢＳＦＮサブフレーム」となるサブフレームにおいて、ステップ（ＳＴ００３）において処理した隣接セルの信号から、そのサブフレームを抽出する。
【００９４】
ステップ（ＳＴ００９）では、シンボル抽出部３２１は、ステップ（ＳＴ００７）において信号抽出制御部３１３から通知された、「ＲＮがバックホールとして用いるＭＢＳＦＮサブフレーム」となるサブフレームにおいて、ステップ（ＳＴ００８）において抽出したサブフレームの信号から、先頭２シンボルを除いた領域の信号を抽出する。
【００９５】
ステップ（ＳＴ０１０）では、回線品質測定部３２３は、ステップ（ＳＴ００９）において抽出した信号を用いて、ＣｏＭＰ用の隣接セルの回線品質測定を行う。
ステップ（ＳＴ０１１）では、回線品質メモリ部３２５は、ステップ（ＳＴ０１０）で測定したＣｏＭＰ用の隣接セルの回線品質を記憶する。
【００９６】
ステップ（ＳＴ０１２）では、フィードバック情報生成部３２７は、ステップ（ＳＴ０１１）で記憶したＣｏＭＰ用の隣接セルの回線品質から、フィードバック情報を生成する。  ステップ（ＳＴ０１３）では、送信処理部３２９及び送信ＲＦ部３３１は、ステップ（ＳＴ０１２）で生成したフィードバック情報に対して送信処理を行い、ＲＮにフィードバック情報を送信する。
【００９７】
上述のように、本実施の形態では、上述したＣｏＭＰ用のＣＱＩ測定方法を用いると、ＲＮ配下のＵＥにおいて、ＲＮからの干渉を受けない場合のｅＮＢの回線品質を精度良く測定できる。そのため、ｅＮＢとそれに接続するＲＮの間で、ＣｏＭＰを行う場合に、回線品質に応じた回線制御が機能する。
【００９８】
なお、本実施の形態では、ＲＮ配下のＵＥは、「ＲＮがバックホールとして用いるＭＢＳＦＮサブフレーム」において測定した隣接セルのＣＱＩを、複数回測定を行い、それを平均化することも可能である。これにより、ＣＱＩの測定精度を改善できる。
【００９９】
なお、本実施の形態では、「ＲＮがバックホールとして用いるＭＢＳＦＮサブフレーム」について説明したが、ＲＮから信号が送信されていないサブフレームであれば、「ＲＮがバックホールとして用いるＭＢＳＦＮサブフレーム」と同様にＲＮから信号が送信されていないサブフレームを用いることで、本実施の形態と同様の効果を得ることができる。例えば、ＲＮにおけるトラフィックが少なく、ＲＮから送信する信号がないサブフレームなどがある。この場合、ＲＮは、自配下のＵＥに対して、ＲＮから信号が送信されていないサブフレームがあることを通知しておく。
【０１００】
なお、本実施の形態では、ＲＮ配下のＵＥについて説明したが、ｅＮＢ配下のＵＥにも適用できる。ＲＮとｅＮＢがＣｏＭＰを行う場合に、ｅＮＢ配下のＵＥが、「ＲＮがバックホールとして用いるＭＢＳＦＮサブフレーム」において、ｅＮＢのＣＱＩを測定する。これにより、ｅＮＢ配下のＵＥは、ｅＮＢのＣＱＩの測定精度を改善できる。この場合、ｅＮＢは、ｅＮＢ配下のＵＥに対して、「ＣｏＭＰを行うＲＮのバックホールとして用いるＭＢＳＦＮサブフレーム」の位置を通知しておく。
【０１０１】
なお、本実施の形態において、隣接セルのＣＱＩのフィードバック方法は、ＬＴＥにおける非周期的ＣＱＩフィードバック（ａｐｅｒｉｏｄｉｃ  ＣＱＩ）と周期的ＣＱＩフィードバック（ｐｅｒｉｏｄｉｃ  ＣＱＩ）のいずれの方法を用いてもよい。また、他の方法でフィードバックしてもよい。
【０１０２】
Ａｐｅｒｉｏｄｉｃ  ＣＱＩでは、下り回線の制御情報（ＰＤＣＣＨ）において、ＣＱＩを測定しフィードバックする指示を与える。本実施の形態における隣接セルのＣＱＩも、ＰＤＣＣＨにおいて指示を与え、フィードバックすることで、Ａｐｅｒｉｏｄｉｃ  ＣＱＩを実現することができる。一方、Ｐｅｒｉｏｄｉｃ  ＣＱＩでは、上位レイヤーの制御情報において通知されたフィードバック周期で、ＣＱＩフィードバックを行う。本実施の形態における隣接セルのＣＱＩも、上位レイヤーでフィードバック周期を通知し、フィードバックすることで、Ｐｅｒｉｏｄｉｃ  ＣＱＩを実現することができる。
【０１０３】
なお、本実施の形態では、上述したＰｅｒｉｏｄｉｃ  ＣＱＩを適用する場合、ＬＴＥでは、ＣＱＩのフィードバック間隔は、［２、５、１０、２０、４０、８０、１６０ｍｓｅｃ］のいずれかになっている。そこで、フィードバック間隔ではなく、フィードバックするサブフレームをテーブル化しておき、そのテーブルを「ＲＮがバックホールとして用いるＭＢＳＮＦサブフレーム」と関連付ける。これにより、「ＲＮがバックホールとして用いるＭＢＳＦＮサブフレーム」を通知せずに、ＣＱＩフィードバック間隔をフィードバックするサブフレームのテーブルを通知することで、本実施の形態における隣接セルのＣＱＩ測定を実現することができる。これにより、「ＲＮがバックホールとして用いるＭＢＳＦＮサブフレーム」を通知するシグナリングのオーバーヘッドを減らすことができる。
【０１０４】
なお、本実施の形態では、ｅＮＢとそのｅＮＢに接続するＲＮについて説明したが、複数のｅＮＢにおいて、一方のｅＮＢから信号を送信していないサブフレームがある場合に適用してもよい。
【０１０５】
ところで、本実施の形態では、ＲＮとそのＲＮが接続するｅＮＢとの間においてＣｏＭＰを行う場合を例にとって説明した。しかし、複数のＲＮ間でＣｏＭＰを行う場合もある。この場合、各ＲＮにおいて、「ＲＮがバックホールとして用いるＭＢＳＦＮサブフレーム」の位置が異なる場合がある。これは、（１）各ＲＮにおけるバックホールの容量は、ＲＮごとに異なることから、各ＲＮにおいて、「ＲＮがバックホールとして用いるＭＢＳＦＮサブフレーム」の数が同一でない、（２）複数ＲＮのバックホールを同じサブフレームにすると、トラフィックが集中してしまい、各ＲＮに対して十分なリソースを割当てることができなくなっていまい、効率が低下してしまう可能性があるからである。
【０１０６】
そこで、本実施の形態の変形例では、各ＲＮにおいて、「ＲＮがバックホールとして用いるＭＢＳＦＮサブフレーム」の位置が異なることに着目し、一方のＲＮが、「ＲＮがバックホールとして用いるＭＢＳＦＮサブフレーム」において、他方のＲＮの回線品質を測定することで、干渉が低い状況において、回線品質を測定する。以下、図８から図１２を参照して、本実施の形態の変形例について、詳細に説明する。
【０１０７】
＜変形例＞
図８は、本実施の形態の変形例における、Ｒｅｌａｙ技術を用いて無線信号を中継する無線通信システムを示す図である。図８において、ｅＮＢは基地局４００、ＲＮ１は無線中継局装置５００Ａ、ＲＮ２は無線中継局装置５００Ｂ、ＵＥは無線通信端末６００をそれぞれ示す。
【０１０８】
以下、本実施の形態の変形例では、図８に示すように無線信号を中継する場合について説明する。図８に示すように、基地局４００（以下、ｅＮＢ）と、中継局５００Ａ（以下、ＲＮ１）及び中継局５００Ｂ（以下、ＲＮ２）とが、１つの端末６００（以下、ＵＥ）に対して、図中矢印Ｈ及び矢印Ｉで示すように、協調してデータを送信している。ＲＮ１及びＲＮ２は、それぞれバックホール回線においてｅＮＢからの信号を受信（図中、矢印Ｊ及び矢印Ｋ）している。ＵＥは、ＲＮ１に接続していて、ＲＮ１とＲＮ２の間でＣｏＭＰを行うものとする。
【０１０９】
次に、図９を参照して、図８に示す無線通信システムにおける、下り回線のサブフレームについて、説明する。図９は、本実施の形態の変形例における、下り回線のサブフレームを示す図である。図中の記号［ｎ、ｎ＋１、・・・］はサブフレーム番号を示し、図中のボックスは、下り回線のサブフレームを示している。
【０１１０】
図９に示すように、ＲＮ１では、「ＲＮがバックホールとして用いるＭＢＳＦＮサブフレーム」の位置はサブフレーム［ｎ＋２、ｎ＋６］である。一方、ＲＮ２では、「ＲＮがバックホールとして用いるＭＢＳＦＮサブフレーム」の位置は、サブフレーム［ｎ＋４］である。
【０１１１】
ここで、サブフレーム［ｎ＋２、ｎ＋６］では、ＵＥが接続しているＲＮ１はＵＥへダウンリンクの信号を送信していないので、ＵＥは自身が接続しているＲＮ１からの干渉を受けずに、ＲＮ２の回線品質を測定できる。また、サブフレーム［ｎ＋４］では、ＲＮ２はＵＥへダウンリンクの信号を送信していないので、ＵＥはＲＮ２からの干渉を受けずにＲＮ１の回線品質を測定できる。
【０１１２】
本実施の形態の変形例では、ＲＮ１が配下のＵＥに対して、ＣｏＭＰの候補となるＲＮ１、ＲＮ２における、「ＲＮがバックホールとして用いるＭＢＳＦＮサブフレーム」の位置を通知する。そして、ＲＮ１配下のＵＥは、一方のＲＮ２の「ＲＮがバックホールとして用いるＭＢＳＦＮサブフレーム」において、３シンボル目以降の領域の信号を使って、他方のＲＮ１の回線品質、つまりＣｏＭＰ用のＣＱＩを測定する。
【０１１３】
以下、本実施の形態の変形例における、ＣｏＭＰ用のＣＱＩの測定方法について、図８及び図９を参照して説明する。
【０１１４】
まず、図８において、ＲＮ１は、配下のＵＥに対して、ＲＮ１とＣｏＭＰを行う候補となりうる全てのＲＮにおける、「ＲＮがバックホールとして用いるＭＢＳＦＮサブフレーム」の位置を通知する。通知する方法としては、例えば、システム情報（Ｓｙｓｔｅｍ  Ｉｎｆｏｒｍａｔｉｏｎ  Ｂｌｏｃｋ）や上位レイヤーの制御情報などを用いて通知する方法がある。
【０１１５】
次に、ＲＮ１配下のＵＥは、実施の形態１と同様に、サブフレーム内の先頭２シンボルを除いた３シンボル目以降の領域を用いて、回線品質を測定する回線品質測定モードを設ける。そして、一方のＲＮにおいて、「ＲＮがバックホールとして用いるＭＢＳＦＮサブフレーム」では、他方のＲＮからＵＥへの回線品質を測定する。
【０１１６】
例えば、図８、図９で想定した無線通信環境について説明すると、ＲＮ１のサブフレームがバックホールとして用いるＭＢＳＦＮサブフレームとなるサブフレーム［ｎ＋２、ｎ＋６］において、ＵＥは、ＲＮ２からＵＥへの回線品質を測定し、ＲＮ２のサブフレームがバックホールとして用いるＭＢＳＦＮサブフレームとなるサブフレーム［ｎ＋２］において、ＵＥは、ＲＮ１からＵＥへの回線品質を測定する。
【０１１７】
本実施の形態の変形例で、図８、図９を参照して説明した、ＣｏＭＰ用のＣＱＩの測定方法を用いると、ＲＮ配下のＵＥにおいて、一方のＲＮの回線品質を、他方のＲＮからの干渉を受けずに、精度良く測定できる。そのため、複数のＲＮ間でＣｏＭＰを行う場合に、回線品質に応じた回線制御が機能する。
【０１１８】
次に、図１０を参照して、本実施の形態の変形例における、無線通信端末６００の構成を説明する。図１０は、本実施の形態の変形例における、無線通信端末６００の構成を示すブロック図である。図１０に示す無線通信端末６００は、アンテナ３０１と、スイッチ（ＳＷ）３０３と、受信ＲＦ部３０５と、受信処理部３０７と、隣接セル信号受信処理部３０９と、信号切替部６０１と、制御情報取得部３１７と、ＣｏＭＰ用回線品質測定制御部６１９と、複数ＲＮ情報取得部６１１と、信号抽出制御部６１３と、サブフレーム抽出部３１５と、シンボル抽出部３２１と、回線品質測定部３２３と、回線品質メモリ部３２５と、フィードバック情報生成部３２７と、送信処理部３２９と、送信ＲＦ部３３１と、を備える。
【０１１９】
ここで、図１０に示す無線通信端末６００が図５に示す無線通信端末３００と異なる点は、ＲＮ情報取得部３１１が複数ＲＮ情報取得部６１１に代わり、信号切替部６０１が追加された点である。また、ＣｏＭＰ用回線品質測定制御部６１９と信号抽出制御部６１３の動作も異なる。これらの点以外は本実施の形態の無線通信端末３００と同様であり、図１０において、図５と共通する構成要素には同じ参照符号が付されている。また、図５と共通する構成要素については、その説明を省略する。
【０１２０】
ＣｏＭＰ用回線品質測定部６１９は、制御情報取得部３１７から出力される無線通信端末６００に対する制御情報において、ＣｏＭＰ用に隣接セルの品質測定を行う指示がある場合に、自セルおよび隣接セルの品質測定を行う指示を、信号抽出制御部６１３および信号切替部６０１に通知する。自セルおよび隣接セルのどちらの品質を測定するかの判定は、制御情報において指示される場合でもよいし、無線通信端末６００自身が切替えを判定しても良い。
【０１２１】
複数ＲＮ情報取得部６１１は、受信処理部３０７において分離されたＣｏＭＰの候補となる全てのＲＮに関する情報を取得して、信号抽出制御部６１３に出力する。ＲＮに関する情報としては、各ＲＮにおいて、「ＲＮがバックホールとして用いるＭＢＳＦＮサブフレーム」の位置がある。
【０１２２】
信号抽出制御部６１３は、ＣｏＭＰ用回線品質測定制御部の指示に基づいて、複数ＲＮ情報取得部６１１から出力されるＣｏＭＰ候補となる各ＲＮに関する情報を使って、サブフレーム抽出部３１５とシンボル抽出部３２１とに指示を出力する。
【０１２３】
ここで、ＣｏＭＰ用回線品質測定制御部６１９から、隣接セルの品質測定を行うように指示された場合、信号抽出制御部６１３は、後述する信号切替部６０１から出力された信号から、複数ＲＮ情報取得部６１１から出力される「自セル（一方のＲＮ）がバックホール用として用いるＭＢＳＦＮサブフレーム」を抽出するように、サブフレーム抽出部３１５に指示する。また、信号抽出制御部６１３は、「自セル（一方のＲＮ）がバックホール用として用いるＭＢＳＦＮサブフレーム」において先頭２シンボルを除いた３シンボル目以降の領域を抽出するようにシンボル抽出部に指示を行う。
【０１２４】
一方、ＣｏＭＰ用回線品質測定制御部６１９から、自セルの品質測定を行うように指示された場合、信号抽出制御部６１３は、信号切替部６０１から出力された信号から、複数ＲＮ情報取得部６１１から出力される、「隣接セル（他のＲＮ）がバックホール用として用いるＭＢＳＦＮサブフレーム」を抽出するように、サブフレーム抽出部３１５に指示する。また、信号抽出制御部６１３は、「隣接セル（他のＲＮ）がバックホール用として用いるＭＢＳＦＮサブフレーム」において先頭２シンボルを除いた３シンボル目以降の領域を抽出するようにシンボル抽出部３２１に指示を行う。
【０１２５】
信号切替部６０１は、ＣｏＭＰ用回線品質測定部６１９の指示に基づいて、隣接セル信号受信処理部３０９から出力される隣接セルの信号、受信処理部３０７から出力される自セルの信号を切り替える。ＣｏＭＰ用回線品質測定制御部６１９から、隣接セルの品質測定を行うように指示された場合、隣接セル信号受信処理部３０９から出力された隣接セルの信号を出力する。また、自セルの品質測定を行うように指示された場合、受信処理部３０７から出力される自セルの信号を出力する。
【０１２６】
また、回線品質測定部３２３、回線品質メモリ部３２５、フィードバック情報生成部３２７では、本実施の形態における隣接セルの回線品質に関する処理に加えて、自セルの回線品質に対しても同様の処理を行う。
【０１２７】
次に、図１１を参照して、本実施の形態の変形例における、無線中継局装置５００の構成を説明する。図１１は、本実施の形態の変形例における、無線中継局装置５００の構成を示すブロック図である。図１１に示す無線中継局装置５００は、ＣｏＭＰ用回線品質測定指示部２０１と、制御情報生成部２０３と、信号多重部２０５と、送信処理部２０７と、送信ＲＦ部２０９と、受信ＲＦ部２１１と、受信処理部２１３と、回線品質情報抽出部２１５と、回線品質メモリ部２１７と、スケジューリング部２１９と、を備える。
【０１２８】
図１１に示す中継局装置５００が、図６に示す中継局装置２００と異なる点は、ＲＮ情報が複数ＲＮ情報に代わった点であり、これらの点以外は本実施の形態の無線中継局装置２００と同様であり、図１１において、図６と共通する構成要素には同じ参照符号が付されている。また、図６と共通する構成要素については、その説明を省略する。
【０１２９】
複数ＲＮ情報は、無線中継装置５００および無線中継局装置５００とＣｏＭＰを行う候補となるＲＮに関する情報であり、信号多重部２０５に入力される。
【０１３０】
なお、回線品質情報抽出部２１５、回線品質メモリ部２１７、スケジューリング部２１９では、本実施の形態における隣接セルの回線品質に関する処理に加えて、自セルの回線品質に対しても同様の処理を行う。
【０１３１】
次に、図１２を参照して、本実施の形態の変形例において、無線通信端末６００におけるＣｏＭＰ用の回線品質測定の処理フローを説明する。図１２は、ＵＥにおけるＣｏＭＰ用の回線品質測定の処理フローを示す図である。
【０１３２】
図１２に示すＵＥにおけるＣｏＭＰ用の回線品質測定の処理フローは、図７に示すＵＥにおけるＣｏＭＰ用の回線品質測定の処理フローと、同じステップでは基本的には同じ処理を行う。図１２に示すＵＥにおけるＣｏＭＰ用の回線品質測定の処理フローが、図７に示すＵＥにおけるＣｏＭＰ用の回線品質測定の処理フローと異なる点は、ステップ（ＳＴ１１４−１）、（ＳＴ１１４−２）の処理が追加された点と、ステップ（ＳＴ００６）の処理が異なる点であり、これらの点以外は、図７に示すＵＥにおけるＣｏＭＰ用の回線品質測定の処理フローと同様であり、図１２において、図７と共通するステップには同じ参照符号が付されている。
【０１３３】
ステップ（ＳＴ００１）では、受信ＲＦ部３０５は、信号を受信して、受信ＲＦ処理を行う。
ステップ（ＳＴ００２）では、受信処理部３０７は、ステップ（ＳＴ００１）において受信ＲＦ処理した信号から、自セルからの信号に対する受信処理を行う。
【０１３４】
ステップ（ＳＴ００３）では、隣接セル信号受信処理部３０９は、ステップ（ＳＴ００１）において受信ＲＦ処理した信号から、隣接セルからの信号に対する受信処理を行う。
ステップ（ＳＴ００４）では、制御情報取得部３１７は、ステップ（ＳＴ００２）において受信処理した信号から、ＵＥに対する制御情報を取得する。
【０１３５】
ステップ（ＳＴ００５）では、ＲＮ情報取得部３１１は、ステップ（ＳＴ００２）において受信処理した信号から、複数のＲＮに関する情報を取得する。
【０１３６】
ステップ（ＳＴ００６）では、ＣｏＭＰ用回線品質測定制御部３１９は、ステップ（ＳＴ００４）において取得した制御情報により、無線通信端末６００に対してＣｏＭＰ用の回線品質を測定する指示に基づいて、ＣｏＭＰ用の回線品質を測定するかどうかを判断し、自セルおよび隣接セルのどちらの品質を測定するかを選択する。ＣｏＭＰ用に隣接セルの回線品質を測定する場合には、ステップ（ＳＴ１１４−１）に進み、自セルの回線品質を測定する場合にはステップ（ＳＴ１１４−２）に進み、回線品質を測定しない場合には処理はしない。
【０１３７】
＜隣接セルの回線品質を測定する場合＞
ステップ（ＳＴ１１４−１）では、信号切替部６０１は、ステップ（ＳＴ１０３）で処理した隣接セルからの受信信号を出力するように切替える。
【０１３８】
ステップ（ＳＴ１０７−１）では、信号抽出制御部３１３は、ステップ（ＳＴ００５）において取得した、複数のＲＮに関する情報から、「ＲＮがバックホールとして用いるＭＢＳＦＮサブフレーム」となるサブフレームを、サブフレーム抽出部３１５とシンボル抽出部３２１とに指示する。
【０１３９】
ステップ（ＳＴ１０８−１）では、サブフレーム抽出部３１５は、ステップ（ＳＴ１０７−１）において信号抽出制御部３１３から指示された、「ＲＮがバックホールとして用いるＭＢＳＦＮサブフレーム」となるサブフレームにおいて、ステップ（ＳＴ００３）において処理した隣接セルの信号から、そのサブフレームを抽出する。
【０１４０】
ステップ（ＳＴ１０９−１）では、シンボル抽出部３２１は、ステップ（ＳＴ１０７−１）において信号抽出制御部３１３から通知された、「ＲＮがバックホールとして用いるＭＢＳＦＮサブフレーム」となるサブフレームにおいて、ステップ（ＳＴ１０８−１）において抽出したサブフレームの信号から、先頭２シンボルを除いた領域の信号を抽出する。
【０１４１】
ステップ（ＳＴ１１０−１）では、回線品質測定部３２３は、ステップ（ＳＴ１０９−１）において抽出した信号を用いて、ＣｏＭＰ用の隣接セルの回線品質測定を行う。
【０１４２】
＜自セルの回線品質を測定する場合＞
ステップ（ＳＴ１１４−２）では、信号切替部６０１は、ステップ（ＳＴ００２）で処理した自セルからの受信信号を出力するように切替える。
【０１４３】
ステップ（ＳＴ１０７−２）では、信号抽出制御部３１３は、ステップ（ＳＴ００５）において取得した、複数のＲＮに関する情報から、「ＲＮがバックホールとして用いるＭＢＳＦＮサブフレーム」となるサブフレームを、サブフレーム抽出部３１５とシンボル抽出部３２１とに指示する。
【０１４４】
ステップ（ＳＴ１０８−２）では、サブフレーム抽出部３１５は、ステップ（ＳＴ１０７−２）において信号抽出制御部３１３から指示された、「ＲＮがバックホールとして用いるＭＢＳＦＮサブフレーム」となるサブフレームにおいて、ステップ（ＳＴ００３）において処理した隣接セルの信号から、そのサブフレームを抽出する。
【０１４５】
ステップ（ＳＴ１０９−２）では、シンボル抽出部３１２は、ステップ（ＳＴ１０７−２）において信号抽出制御部３１３から通知された、「ＲＮがバックホールとして用いるＭＢＳＦＮサブフレーム」となるサブフレームにおいて、ステップ（ＳＴ１０８−２）において抽出したサブフレームの信号から、先頭２シンボルを除いた領域の信号を抽出する。
【０１４６】
ステップ（ＳＴ１１０−２）では、回線品質測定部３２３は、ステップ（ＳＴ１０９−２）において抽出した信号を用いて、ＣｏＭＰ用の隣接セルの回線品質測定を行う。
【０１４７】
ステップ（ＳＴ１１１）では、回線品質メモリ部３２５は、ステップ（ＳＴ１１０−１）又はステップ（ＳＴ１１０−２）で測定したＣｏＭＰ用の隣接セルの回線品質を記憶する。
【０１４８】
ステップ（ＳＴ１１２）では、フィードバック情報生成部３２７は、ステップ（ＳＴ１１１）で記憶したＣｏＭＰ用の隣接セルの回線品質から、フィードバック情報を生成する。
ステップ（ＳＴ１１３）では、送信処理部３２９及び送信ＲＦ部３３１は、ステップ（ＳＴ１１２）で生成したフィードバック情報に対して送信処理を行い、ＲＮにフィードバック情報を送信する。
【０１４９】
上述のように、本実施の形態の変形例では、図８、図９を参照して説明した、ＣｏＭＰ用のＣＱＩの測定方法を用いると、ＲＮ配下のＵＥにおいて、一方のＲＮの回線品質を、他方のＲＮからの干渉を受けずに、精度良く測定できる。そのため、複数のＲＮ間でＣｏＭＰを行う場合に、回線品質に応じた回線制御が機能する。
【０１５０】
なお、本実施の形態の変形例では、２つのＲＮ間のＣｏＭＰを行う場合について説明したが、３つ以上のＲＮ間のＣｏＭＰに対して適用してもよい。この場合、ＵＥは、バックホールとしてＭＢＳＦＮサブフレームを用いているＲＮ以外のＲＮからの回線品質を測定する。また、２つのＲＮとｅＮＢとのＣｏＭＰに対して適用してもよい。この場合、ＵＥは、ＲＮがバックホールとしてＭＢＳＦＮサブフレームを用いているサブフレームにおいて、ｅＮＢからの回線品質を測定する。
【０１５１】
なお、上記実施の形態ではアンテナとして説明したが、アンテナポートでも同様に適用できる。アンテナポート（ａｎｔｅｎｎａ  ｐｏｒｔ）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なるＲｅｆｅｒｅｎｃｅ  ｓｉｇｎａｌを送信できる最小単位として規定されている。また、アンテナポートはＰｒｅｃｏｄｉｎｇ  ｖｅｃｔｏｒの重み付けを乗算する最小単位として規定されることもある。
【０１５２】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５３】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１５４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１５５】
本発明を詳細にまた特定の実施態様を参照して説明したが、本発明の精神と範囲を逸脱することなく様々な変更や修正を加えることができることは当業者にとって明らかである。
【０１５６】
本出願は、２００９年５月１５日出願の日本特許出願（特願２００９−１１９１０５）、に基づくものであり、その内容はここに参照として取り込まれる。
【産業上の利用可能性】
【０１５７】
本発明に係る無線通信端末及び無線通信方法は、自セルの干渉を受けない状態の隣接セルの回線品質を精度良く測定できるという効果を有し、無線通信端末等として有用である。
【符号の説明】
【０１５８】
１００、４００  基地局
２００、５００Ａ、５００Ｂ  無線中継局装置
２０１  ＣｏＭＰ用回線品質測定指示部
２０３  制御情報生成部
２０５  信号多重部
２０７  送信処理部
２０９  送信ＲＦ部
２１１  受信ＲＦ部
２１３  受信処理部
２１５  回線品質情報抽出部
２１７  回線品質メモリ部
２１９  スケジューリング部
２２１  スイッチ
２２３  アンテナ
３００、６００  無線通信端末
３０１  アンテナ
３０３  スイッチ（ＳＷ）
３０５  受信ＲＦ部
３０７  受信処理部
３０９  隣接セル信号受信処理部
３１１  ＲＮ情報取得部
３１３、６１３  信号抽出制御部
３１５  サブフレーム抽出部
３１７  制御情報取得部
３１９、６１９  ＣｏＭＰ用回線品質測定制御部
３２１  シンボル抽出部
３２３  回線品質測定部
３２５  回線品質メモリ部
３２７  フィードバック情報生成部
３２９  送信処理部
３３１  送信ＲＦ部
６０１  信号切替部
６１１  複数ＲＮ情報取得部
【図１】
2010131488.tif 000003
【図２】
2010131488.tif 000004
【図３】
2010131488.tif 000005
【図４】
2010131488.tif 000006
【図５】
2010131488.tif 000007
【図６】
2010131488.tif 000008
【図７】
2010131488.tif 000009
【図８】
2010131488.tif 000010
【図９】
2010131488.tif 000011
【図１０】
2010131488.tif 000012
【図１１】
2010131488.tif 000013
【図１２】
2010131488.tif 000014
【図１３】
2010131488.tif 000015
【図１４】
2010131488.tif 000016
【図１５】
2010131488.tif 000017
【国際調査報告】
2010131488.tif 000018
2010131488.tif 000019